(57)【要約】【課題】色毎に備えた画像記憶装置の一部に負担が集中して他より早く故障に至ることを防止できる画像処理装置を提供する。【解決手段】画像データを記憶する色数分のデータ記憶部２４ａ〜２４ｄと、画像データを入力する色毎の入力経路Ｃin、Ｍin、Ｙin、Ｋinをそれぞれ、どのデータ記憶部２４ａ〜２４ｄの入力側に接続するかを切り替える入力系選択部２３と、色毎の出力経路Ｃout、Ｍout、Ｙout、Ｋoutをそれぞれ、どのデータ記憶部２４ａ〜２４ｄの出力側に接続するかを切り替える出力系選択部２５とを備える。【選択図】図２
2006279468.tif 000002
【特許請求の範囲】
【請求項１】
画像データを記憶する複数の画像記憶装置と、
画像データを入力する複数の入力経路に対し、それぞれの出力側を前記複数の画像記憶装置のいずれに接続するかを切り替える入力系選択部と、
画像データを出力する複数の出力経路に対し、それぞれの入力側を前記複数の画像記憶装置のいずれに接続するかを切り替える出力系選択部と、
を備える
ことを特徴とする画像処理装置。
【請求項２】
前記複数の入力経路は色別に画像データを入力し、
前記複数の出力経路は色別に画像データを出力する
ことを特徴とする請求項１に記載の画像処理装置。
【請求項３】
入力経路の出力側を画像記憶装置に排他的に接続する
ことを特徴とする請求項１または２に記載の画像処理装置。
【請求項４】
前記入力系選択部の設定を、使用期間に基づいて切り替える
ことを特徴とする請求項１、２または３に記載の画像処理装置。
【請求項５】
前記入力系選択部の設定を、画像データの入力処理およびまたは出力処理の実行回数に基づいて切り替える
ことを特徴とする請求項１、２、３または４に記載の画像処理装置。
【請求項６】
前記入力系選択部の設定を、ユーザからの指示に基づいて切り替える
ことを特徴とする請求項１、２、３、４または５に記載の画像処理装置。
【請求項７】
前記入力系選択部の設定を、画像記憶装置の使用状況に基づいて切り替える
ことを特徴とする請求項１、２、３、４、５または６に記載の画像処理装置。
【請求項８】
各画像記憶装置の使用負荷が平均化されるように、前記入力系選択部の設定を切り替える
ことを特徴とする請求項１、２、３、４、５、６または７に記載の画像処理装置。
【請求項９】
前記使用状況および／または使用負荷は、前記画像記憶装置自体が管理する情報に基づいて認識する
ことを特徴する請求項７または８に記載の画像処理装置。
【請求項１０】
前記画像記憶装置に磁気ディスク装置を用いる
ことを特徴とする請求項１、２、３、４、５、６、７、８または９に記載の画像処理装置。
【請求項１１】
前記入力経路と前記出力経路とは予め定めた１対１の対応関係を有し、
所定の入力経路の出力側とこの入力経路に対応する出力経路の入力側とが同じ画像記憶装置に接続されるように前記入力系選択部と前記出力系選択部とを設定する
ことを特徴とする請求項１、２、３、４、５、６、７、８、９または１０に記載の画像処理装置。
【請求項１２】
入力された画像データとこの画像データの入力時における前記入力系選択部の設定状態とを関連付けた記憶先情報を記憶する記憶手段を備え、
前記入力経路と前記出力経路とは予め定めた１対１の対応関係を有し、
画像データを出力する際に、この画像データの入力経路と出力経路とが前記予め定めた１対１の対応関係に従うように、前記出力系選択部をこの画像データに関連付けされた記憶先情報に基づいて設定する
ことを特徴とする請求項１、２、３、４、５、６、７、８、９または１０に記載の画像処理装置。
【請求項１３】
前記入力系選択部の設定パターンおよびまたは前記出力系選択の設定パターンを表わした設定テーブルを、その設定パターンを相違させて予め複数種類用意しておき、
選択されたいずれかの設定テーブルに従って前記入力系選択部およびまたは前記出力系選択部を設定する
ことを特徴とする請求項１１または１２に記載の画像処理装置。
【請求項１４】
前記入力経路と前記出力経路とは予め定めた１対１の対応関係を有し、
入力された画像データとこの画像データを前記１対１の対応関係を維持して出力するための前記出力系選択部の設定状態とを関連付けた記憶先情報を記憶手段に記憶し、
前記画像データを出力する際に、前記出力系選択部をこの画像データに関連付けされた記憶先情報に基づいて設定する
ことを特徴とする請求項１、２、３、４、５、６、７、８、９または１０に記載の画像処理装置。
【発明の詳細な説明】
【技術分野】
【０００１】
本発明は、画像データを記憶するための画像記憶装置を複数備えた画像処理装置に係わり、特に、一部の画像記憶装置に負担が集中して他より早く故障するのを防ぐ技術に関する。
【背景技術】
【０００２】
複写機などの画像処理装置では、画像記憶装置として磁気ディスク装置や半導体メモリなどが使用される。磁気ディスク装置や光磁気ディスク装置などの記憶装置は半導体メモリと比較すると大容量である反面、データの書き込みおよび読み込みの速度が劣り、寿命が短い。上記速度についてはメモリをバッファとして併用することで補うことはできるが、寿命については高速で動作する機構部品を持つため改善が難しい。
【０００３】
磁気ディスク装置などの記憶装置の寿命に影響する要素（ディスクの磨耗、スピンドルモータの消耗など）は、いずれも起動回数や使用時間に依存するものである。そのため、磁気ディスク装置側で自らの起動時間や起動回数などを管理し、寿命や故障の予測などを可能にする情報を制御側に提供する機能を備えた磁気ディスク装置が一般化している。
【０００４】
ところで、通常、カラー画像処理装置は、図１０に示すようにフルカラーを実現するためのシアン（Ｃ）、マゼンタ（Ｍ）、イエロー（Ｙ）、ブラック（Ｋ）の４色を色別の画像データで管理しており、これに伴って画像データを記憶する磁気ディスク装置などの画像記憶装置を４台用意している。これらの画像記憶装置は色別に用意されており、それぞれの担当色が固定的に定められている。
【０００５】
このように画像記憶装置を複数有する場合には、１台のみの場合に比べて故障の発生するリスクは高くなる。また、１つの画像記憶装置に故障が発生しただけでカラー画像処理装置として機能しなくなる。そこで、いずれかの画像記憶装置が機能停止した場合に、その画像記憶装置が担当していた色の画像データを他の色を担当している画像記憶装置に保存するようにしたカラー画像形成装置が提案されている（たとえば、特許文献１参照。）。
【０００６】
【特許文献１】特開平１０−３２６９０号公報
【発明の開示】
【発明が解決しようとする課題】
【０００７】
カラー画像処理装置では、写真原稿などのカラー画像の他に白黒画像や一部の色だけを使用する色限定モードの画像などが取り扱われる。フルカラー画像の場合はすべての色の画像記憶装置を使用するので、フルカラー画像を主として取り扱う使用環境下では各色の画像記憶装置が平均的に使用される。
【０００８】
しかしながら、白黒画像や色限定モードの画像を取り扱う場合には、特定の色の画像記憶装置のみが使用され、他の色を担当する画像記憶装置は使用されない。このため、白黒画像や色限定モードの画像を取り扱う頻度の高い使用環境下では、長期的に見ると各画像記憶装置の使用頻度に大きな偏りが生じてしまう。特に、Ｋ色は文書に好まれるため、Ｋ色用の画像記憶装置の使用頻度が他のものより高くなりやすい。先にも説明したように磁気ディスク装置などの画像記憶装置の寿命（故障発生）は起動回数や使用時間に強く依存するので、使用頻度に偏りがあると、特定の画像記憶装置だけが早く寿命に達してしまう。すなわち、画像処理装置全体で見ると、画像記憶装置の故障が比較的短期間で発生し、修理や交換の時期が早まるという問題があった。
【０００９】
また、画像記憶装置の寿命を予測したり機能停止した画像記憶装置が担当していた画像データを他の画像記憶装置に保存したりする技術は、目的を異にするもので、この技術単独では各画像記憶装置の使用頻度の偏りを是正することはできない。
【００１０】
本発明は上記の問題を解決しようとするものであり、複数備えた画像記憶装置の一部に負担が集中して他より早く故障に至ることを防止できる画像処理装置を提供することを目的としている。
【課題を解決するための手段】
【００１１】
以上の目的は以下の構成によって達成される。
【００１２】
（１）画像データを記憶する複数の画像記憶装置と、
画像データを入力する複数の入力経路に対し、それぞれの出力側を前記複数の画像記憶装置のいずれに接続するかを切り替える入力系選択部と、
画像データを出力する複数の出力経路に対し、それぞれの入力側を前記複数の画像記憶装置のいずれに接続するかを切り替える出力系選択部と、
を備える
ことを特徴とする画像処理装置。
【００１３】
上記（１）に係わる発明では、複数の入力系路のそれぞれについて、その入力系路から入力される画像データの記憶先を複数の画像記憶装置のいずれにでも切り替えることができる。また、複数の出力系路のそれぞれについて、その出力経路に出力する画像データの読み出し元を複数の画像記憶装置のいずれにでも切り替えることができる。
【発明の効果】
【００１４】
本発明に係わる画像処理装置によれば、入力系選択部および出力系選択部を介挿することにより、各画像記憶装置に接続される入力系路および出力経路を固定化せずに切り替えることができ、適切な切替制御を行なうことで、各画像記憶装置の使用頻度を平均化して、画像処理装置全体としての平均故障間隔（ＭＴＢＦ：Mean Time Between Failure）を向上させることができる。
【発明を実施するための最良の形態】
【００１５】
以下、図面に基づき本発明の実施の形態を説明する。
【００１６】
図１は、本発明の実施の形態に係わる画像処理装置１０の概略構成を示している。
【００１７】
画像処理装置１０は、原稿画像を読み取り、その複製画像を記録紙上に作成して出力する機能を備えた、カラーデジタル複写機として構成されている。かかる画像処理装置１０は、当該装置の動作を統括制御するシステム制御部１１を備えている。システム制御部１１はＣＰＵ（中央処理装置）１２とＲＯＭ（リード・オンリ・メモリ）１３とＲＡＭ（ランダム・アクセス・メモリ）１４と記憶部１５とを中核として構成されている。
【００１８】
ＲＯＭ１３は、システム制御部１１のＣＰＵ１２が実行するプログラムや各種固定データを記憶している。ＲＡＭ１４は、ＣＰＵ１２がプログラムを実行する際に各種データを一時的に格納するワークメモリとして使用される。記憶部１５は各種データを不揮発に記憶する記憶手段である。
【００１９】
システム制御部１１には、読取部２１と、入力画像処理部２２と、入力系選択部２３と、データ記憶部２４と、出力系選択部２５と、出力画像処理部２６と、画像形成部２７とが接続されている。これらは、読取部２１から画像形成部２７に至る画像データの処理経路を構成している。システム制御部１１には、さらにネットワークＩ／Ｆ（インターフェイス）３１と、クロック部３２と、カウンタ部３３と、操作表示部３４とが接続されている。
【００２０】
図２は、画像データの処理経路に係わる部分の詳細構成を示している。
【００２１】
読取部２１は、原稿をカラーで読み取り画像データを取り込む役割を果たす。読取部２１は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えたスキャナとして構成されている。ラインイメージセンサは、たとえばＣＣＤ（Charge Coupled Device）で構成される。
【００２２】
入力画像処理部２２は、読取部２１から入力された画像データに対してシェーディング補正、色変換、フィルタ処理などをその入力された画像データの特性に応じて施す機能を果たす。詳細には、読取部２１が原稿をレッド（Ｒ）、グリーン（Ｇ）、ブルー（Ｂ）の３色に分けて光学的に読み取って得た画像データを読取部２１から取り込み、これをシアン（Ｃ）、マゼンタ（Ｍ）、イエロー（Ｙ）、ブラック（Ｋ）の４色の濃度データに変換した色別の画像データを個別の経路Ｃin、Ｍin、Ｙin、Ｋinへ出力するようになっている。
【００２３】
入力系選択部２３は、４つの入力ポートＰiＣ、ＰiＭ、ＰiＹ、ＰiＫと４つの出力ポートＰi１、Ｐi２、Ｐi３、Ｐi４とを備えたセレクタ回路であり、入力ポートＰiＣ、ＰiＭ、ＰiＹ、ＰiＫの接続先をいずれの出力ポートＰi１、Ｐi２、Ｐi３、Ｐi４にも切り替えることが可能になっている。内部では、入力ポートＰiＣ、ＰiＭ、ＰiＹ、ＰiＫと出力ポートＰi１、Ｐi２、Ｐi３、Ｐi４とを排他的に結ぶ４つの内部経路が形成される。入力系選択部２３はＣＰＵ１２から入力される入力系制御信号Ｓ１に従って内部経路の接続状態を切り替えるように構成されている。
【００２４】
入力ポートＰiＣにはＣ色の入力経路Ｃinが接続され、入力ポートＰiＭにはＭ色の入力経路Ｍinが接続され、入力ポートＰiＹにはＹ色の入力経路Ｙinが接続され、入力ポートＰiＫにはＫ色の入力経路Ｋinが接続されている。入力画像処理部２２が出力する色別の画像データはこれら４つの入力経路Ｃin、Ｍin、Ｙin、Ｋinを通じて入力系選択部２３へ入力される。
【００２５】
データ記憶部２４は、画像データを記憶する画像記憶装置としての役割を果たす。フルカラーの実現に用いられるＣ、Ｍ、Ｙ、Ｋの４色の基本色を同時並行に処理できるように４つの独立したデータ記憶部２４ａ、２４ｂ、２４ｃ、２４ｄを備えている。第１データ記憶部２４ａのデータ入力側は入力系選択部２３の出力ポートＰi１に接続され、第２データ記憶部２４ｂのデータ入力側には入力系選択部２３の出力ポートＰi２が接続されている。また、第３データ記憶部２４ｃのデータ入力側には入力系選択部２３の出力ポートＰi３が接続され、第４データ記憶部２４ｄのデータ入力側には入力系選択部２３の出力ポートＰi４が接続されている。
【００２６】
各データ記憶部２４ａ、２４ｂ、２４ｃ、２４ｄは磁気ディスク装置２８ａ、２８ｂ、２８ｃ、２８ｄとＲＡＭ２９ａ、２９ｂ、２９ｃ、２９ｄとで構成されている。ＲＡＭ２９ａ、２９ｂ、２９ｃ、２９ｄは入出力バッファとして使用される。データ記憶部２４は、画像データを記憶可能なものであればＲＡＭや磁気ディスク装置に限定されず、他の種類の記憶装置でもよい。
【００２７】
出力系選択部２５は、４つの入力ポートＰo１、Ｐo２、Ｐo３、Ｐo４と４つの出力ポートＰoＣ、ＰoＭ、ＰoＹ、ＰoＫとを備えたセレクタ回路であり、各入力ポートＰo１、Ｐo２、Ｐo３、Ｐo４の接続先をいずれの出力ポートＰoＣ、ＰoＭ、ＰoＹ、ＰoＫにも切り替えることが可能になっている。入力系選択部２３と同様に４つの内部経路を持ち、ＣＰＵ１２から入力される出力系制御信号Ｓ２に従って内部経路の接続状態を切り替えるように構成されている。
【００２８】
出力系選択部２５の入力ポートＰo１には第１データ記憶部２４ａの出力側が接続されている。また、出力系選択部２５の入力ポートＰo２には第２データ記憶部２４ｂの出力側が接続され、入力ポートＰo３には第３データ記憶部２４ｃの出力側が接続され、入力ポートＰo４には第４データ記憶部２４ｄの出力側がそれぞれ接続されている。
【００２９】
出力系選択部２５の出力ポートＰoＣには出力画像処理部２６に対してＣ色の画像データを出力するための出力経路Ｃoutが接続されている。出力系選択部２５の出力ポートＰoＭには出力画像処理部２６に対してＭ色の画像データを出力するための出力経路Ｍoutが接続され、出力ポートＰoＹには出力画像処理部２６に対してＹ色の画像データを出力するための出力経路Ｙoutが接続され、出力ポートＰoＫには出力画像処理部２６に対してＫ色の画像データを出力するための出力経路Ｋoutがそれぞれ接続されている。
【００３０】
出力画像処理部２６は、色別の出力経路Ｃout、Ｍout、Ｙout、Ｋoutから入力される色別の画像データに対して、画像形成部２７の特性に応じた適切な画像処理を施した後、画像形成部２７へ出力する機能を果たす。
【００３１】
画像形成部２７は、出力画像処理部２６から入力された画像データに対応するカラー画像を電子写真プロセスによって記録紙上に形成して出力する機能を果たす。画像形成部２７は記録紙の搬送装置と、感光体ドラムと、帯電装置と、レーザーユニットと、現像装置と、転写分離装置と、クリーニング装置と、定着装置とを有するプリンタエンジンとして構成される。
【００３２】
図１に戻って画像処理装置１０全体の構成を説明する。
【００３３】
ネットワークＩ／Ｆ３１は、ＬＡＮ（ローカル・エリア・ネットワーク）などのネットワークを通じて外部装置と各種のデータを授受するための役割を果たす。
【００３４】
クロック部３２は、現在日時を計時する機能を果たす。カウンタ部３３は、画像形成部２７で印刷した印刷枚数や読取部２１で読み取った原稿枚数などを累積計数しその計数値を記憶する機能を果たし、電源をオフにしても計数値を保持するように構成されている。
【００３５】
操作表示部３４は、たとえば、表面にタッチパネルを備えた液晶ディスプレイと各種の操作スイッチと、これらを制御する操作部制御ＣＰＵなどで構成され、各種の案内情報の表示や各種の入力操作を受け付ける機能を果たす。
【００３６】
ＣＰＵ１２は、画像処理や画像形成処理の実行を制御する機能の他に、切替制御手段４１と画像データ管理手段４２としての機能を備えている。
【００３７】
切替制御手段４１は、入力系選択部２３の内部経路の接続状態を決定し、その決定に従って入力系制御信号Ｓ１を出力して入力系選択部２３を制御する役割を果たす。また、出力系選択部２５の内部経路の接続状態を決定し、その決定に従って出力系制御信号Ｓ２を出力して出力系選択部２５を制御する役割を果たす。切替制御手段４１は入力系選択部２３と出力系選択部２５とをそれぞれ独立に制御可能に構成されている。また、入力系選択部２３および出力系選択部２５の現在の接続状態を示す情報を記憶部１５に記憶するようになっている。
【００３８】
画像データ管理手段４２は、読取部２１などから入力された各色の画像データが入力系選択部２３を経由していずれのデータ記憶部２４に格納されたかを示す経路情報を管理する役割を果たす。経路情報とは、各色の画像データがどのデータ記憶部２４に格納されているかを示す記憶先情報であり、出力時にその画像データに対応する経路情報を参照すれば、各色の画像データがそれぞれの色に対応する適切な出力経路Ｃout、Ｍout、Ｙout、Ｋoutへ出力されるように出力系選択部２５を制御できるようになっている。
【００３９】
図３は、入力系選択部２３および出力系選択部２５の内部経路の設定パターンを表わした設定テーブル５０ａ、５０ｂ、５０ｃ、５０ｄを示している。各設定テーブル５０ａ、５０ｂ、５０ｃ、５０ｄは、入力系選択部２３の設定パターンを示す入力系制御情報５１と出力系選択部２５の設定パターンを示す出力系制御情報５２とから構成される。
【００４０】
設定テーブル５０ａ、５０ｂ、５０ｃ、５０ｄは、切替制御手段４１が入力系選択部２３と出力系選択部２５とを制御するときにそれぞれの内部経路の接続状態を設定するために利用される。詳細には、入力系制御情報５１は入力系制御信号Ｓ１の設定に利用され、出力系制御情報５２は出力系制御信号Ｓ２の設定に利用される。
【００４１】
設定テーブル５０ａ、５０ｂ、５０ｃ、５０ｄは、互いに異なる設定パターンになっている。また、これらを識別するための設定テーブル番号を与えてある。具体的には、設定テーブル５０ａには「Ｔｂ１」、設定テーブル５０ｂには「Ｔｂ２」、設定テーブル５０ｃには「Ｔｂ３」、設定テーブル５０ｄには「Ｔｂ４」をそれぞれ割り当ててある。切替制御手段４１は、入力系選択部２３や出力系選択部２５の現時点の接続状態を示す情報として、設定テーブル番号を記憶部１５に記憶するようになっている。
【００４２】
入力系制御情報５１は、入力系選択部２３の各入力ポートＰiＣ、ＰiＭ、ＰiＹ、ＰiＫがそれぞれどの出力ポートＰi１、Ｐi２、Ｐi３、Ｐi４に内部接続されるかの対応関係を示している。たとえば、「Ｃ→１」は、入力系選択部２３の内部で入力ポートＰiＣを出力ポートＰi１に内部接続することを示している。入力ポートＰiＣにはＣ色の入力経路Ｃinが接続され、出力ポートＰi１には第１データ記憶部２４ａが接続されているので、上記の「Ｃ→１」は、Ｃ色の画像データを第１データ記憶部２４ａに格納することを表わしている。
【００４３】
出力系制御情報５２は、出力系選択部２５の各入力ポートＰo１、Ｐo２、Ｐo３、Ｐo４がそれぞれどの出力ポートＰoＣ、ＰoＭ、ＰoＹ、ＰoＫに内部接続されるかの対応関係を示している。たとえば、「１→Ｃ」は、出力系選択部２５の内部で入力ポートＰo１を出力ポートＰoＣに内部接続することを示している。入力ポートＰo１には第１データ記憶部２４ａが接続され、出力ポートＰoＣにはＣ色の出力経路Ｃoutが接続されているので、上記の「１→Ｃ」は、第１データ記憶部２４ａから読み出した画像データをＣ色用の出力経路Ｃoutへ出力することを表わしている。
【００４４】
入力系制御情報５１を「Ｃ→１」とし、出力系制御情報５２を「１→Ｃ」とすることで、Ｃ色の入力経路Ｃinから入力されるＣ色の画像データが第１データ記憶部２４ａを経してＣ色用の出力経路Ｃoutへ出力されるようになる。
【００４５】
各設定テーブル５０ａ〜５０ｄは、同じ設定テーブルに登録されている入力系制御情報５１と出力系制御情報５２とを画像データの格納時とその画像データの出力時とに使用することで、色の対応関係を有したまま入力から出力までの経路を確保するように構成されている。
【００４６】
なお、各設定テーブル５０ａ〜５０ｄは、上記のような色の対応関係が維持されるように入力系制御情報５１と出力系制御情報５２とを一対として構成しているが、同じ設定テーブルに登録されている入力系制御情報５１と出力系制御情報５２とを同時期に入力系選択部２３と出力系選択部２５とに設定する必要はなく、画像データの入力時に使用した設定テーブル５０ａ〜５０ｄとその画像データの出力時（たとえば、後日出力するような場合）に使用する設定テーブル５０ａ〜５０ｄとが同一であればよい。
【００４７】
また、各設定テーブル５０ａ〜５０ｄを設定テーブル番号順に切り替えることで、各色の画像データの格納先が「第１データ記憶部２４ａ」→「第２データ記憶部２４ｂ」→「第３データ記憶部２４ｃ」→「第４データ記憶部２４ｄ」→「第１データ記憶部２４ａ」という順序で循環するように構成されている。したがって、使用する設定テーブル５０ａ、５０ｂ、５０ｃ、５０ｄを循環させて切り替えることで、各色の画像データの格納先が循環的に変更され、データ記憶部２４間での使用頻度が平準化されるように構成されている。
【００４８】
図４は、ジョブの実行を管理するための情報を登録するジョブテーブル６０の一例を示している。
【００４９】
同図に示すジョブテーブル６０は、印刷動作を伴うジョブを管理するものである。ジョブテーブル６０は、ジョブ全体に係わる情報を登録するジョブデータ部６１と、ページ毎の情報を登録するページデータ部６２とで構成される。ジョブデータ部６１は、ジョブの実行開始時に作製される。ページデータ部６２は、画像データの入力を伴うジョブの場合には１ページを入力する毎に追加登録される。
【００５０】
一方、既に保存してある画像データを単に出力するジョブの場合は、出力対象となるすべてのページについてのページデータ部６２がジョブの開始時に作製される。なお、ここでは、ジョブとして、読取部２１で原稿を読み取ってその複製画像を画像形成部２７で記録紙上に作成して出力するコピージョブと、入力した画像データを単にデータ記憶部２４に保存する保存ジョブと、保存ジョブによって前もって保存された画像データを読み出して印刷する印刷ジョブとがあるものとする。
【００５１】
ジョブデータ部６１には、ジョブを識別するためのジョブ番号、処理するページ数、出力に使用する用紙サイズ、出力形態がフルカラー印刷か色限定のカラー印刷かモノクロ印刷かを表わした出力色モード、印刷部数などの情報が登録される。
【００５２】
ページデータ部６２には、そのページの画像データをデータ記憶部２４に格納する際に入力系選択部２３の設定に使用された設定テーブル番号が登録される。ジョブテーブル６０のページデータ部６２は、各色の画像データがどのデータ記憶部２４に格納されているかを表わした記憶先情報を記憶するものであり、ジョブテーブル６０を記憶するＲＡＭ１４は、記憶先情報の記憶手段として機能することになる。
【００５３】
なお、印刷動作を伴わず、入力した画像データを単にデータ記憶部２４に保存するだけの保存ジョブの場合には、画像データをデータ記憶部２４に格納する際に入力系選択部２３の設定に使用した設定テーブル番号を、その画像データに関連付けて登録するようになっている。詳細には、画像データのヘッダ部などに登録される。この場合、画像データのヘッダ部やその記憶先が記憶先情報の記憶手段として機能することになる。画像データのヘッダ部などに登録した設定テーブル番号は、印刷時などその画像データを出力するときに出力系選択部２５を設定するために使用される。
【００５４】
すなわち、保存ジョブによって前もって保存された画像データを読み出して印刷する印刷ジョブの実行開始するとき、当該印刷ジョブに係わる画像データのヘッダ部から設定テーブル番号を取得し、これに基づいて図４に示すものと同様のジョブテーブルを生成し、これに従ってジョブを実行するようになっている。
【００５５】
図５は、画像処理装置１０がジョブを実行する際の動作を示している。ここでは、ジョブテーブルの作製と、ジョブテーブルに登録されている設定テーブル番号に基づく出力系選択部２５の切替動作について主として説明する。
【００５６】
ユーザ操作によりジョブを受け付けると（ステップＳ１０１）、そのジョブがコピージョブ、印刷ジョブ、保存ジョブのいずれであるか判定する（ステップＳ１０２、Ｓ１０３）。コピージョブの場合は（ステップＳ１０２；Ｙ）、ジョブテーブル６０のジョブデータ部６１を作製した後（ステップＳ１０４）、原稿の読取動作を開始する。
【００５７】
このとき、入力系選択部２３の現在の設定状態を表わしている設定テーブル番号を記憶部１５から読み出し、この設定テーブル番号が登録されたページデータをジョブテーブル６０のページデータ部６２に追加登録する。そして、読取部２１で読み取った画像データを、入力系選択部２３を通じてデータ記憶部２４に格納する（ステップＳ１０５）。この動作をすべてのページの読取動作が完了するまで繰り返し行なう。
【００５８】
一方、原稿の読取動作とは独立して出力画像処理部２６の準備が整い次第、読取動作の実行時に作製したジョブテーブル６０を参照して画像の出力動作を実行する。すなわち、ジョブテーブル６０のページデータ部６２に登録されている該当ページの設定テーブル番号を読み出し、この設定テーブル番号の設定テーブル５０に登録されている出力系制御情報５２に従って出力系選択部２５を設定する。その後、データ記憶部２４から該当ページの画像データを読み出し、出力系選択部２５から出力画像処理部２６へ出力し画像形成部２７で画像形成する（ステップＳ１０８）。この動作をすべてのページの印刷動作が完了するまで繰り返し行なって（ステップＳ１０９）、一連のコピー動作が処理を終了する（エンド）。
【００５９】
保存ジョブの場合は（ステップＳ１０２；Ｎ、Ｓ１０３；Ｎ）、ジョブテーブル６０のジョブデータ部６１を作製する（ステップＳ１１０）。その後、原稿の読取動作を開始し、このとき、入力系選択部２３の現在の設定状態を表わしている設定テーブル番号を記憶部１５から読み出し、この設定テーブル番号が登録されたページデータをジョブテーブル６０のページデータ部６２に追加登録する（ステップＳ１１１）。そして、読取部２１で読み取った画像データのヘッダ部に先と同じ設定テーブル番号を登録し、ヘッダ部と共にこの画像データを、入力系選択部２３を通じてデータ記憶部２４に保存する（ステップＳ１１２）。この動作をすべてのページの読取動作が完了するまで繰り返し行なって（ステップＳ１１３）処理を終了する（エンド）。
【００６０】
印刷ジョブの場合は（ステップＳ１０３；Ｙ）、ジョブテーブル６０のジョブデータ部６１を作製し（ステップＳ１０６）、今回の印刷ジョブに係わるすべてのページについて、そのページの画像データのヘッダ部から設定テーブル番号を読み出し、この設定テーブル番号が登録されたページデータをページデータ部６２に追加登録する（ステップＳ１０７）。その後は、コピージョブにおける出力動作と同様に、このジョブテーブル６０を参照して画像の出力動作を実行し、（ステップＳ１０８、Ｓ１０９）処理を終了する（エンド）。
【００６１】
いずれのジョブにおいても、画像データをデータ記憶部２４に格納する際に入力系選択部２３の設定に使用した設定テーブル番号と、その画像データをデータ記憶部２４から読み出す際に出力系選択部２５の設定に使用した設定テーブル番号とが一致するようになるので、色の対応関係が確保される。
【００６２】
次に、切替制御手段４１が所定のタイミングで入力系選択部２３の設定状態を切り替える切替制御処理について説明する。入力系選択部２３に対する設定の切替時期を判断する基準には種々のものがあり、以下それぞれの基準に係わる動作について順に説明する。
【００６３】
図６は、使用期間を切り替えの判断基準にした第１切替制御処理を示している。この処理は、待機中など画像処理装置１０がジョブを実行していないときに定期的に行なわれる。使用期間を切り替えの判断基準にする場合には、記憶部１５に設定テーブルの有効期限を記憶するようになっている。
【００６４】
ＣＰＵ１２の切替制御手段４１は、クロック部３２から現在日時を取得すると共に（ステップＳ２０１）、設定テーブル番号と有効期限とを記憶部１５から取得する（ステップＳ２０２）。取得した有効期限を現在日時が過ぎているか否かを判断し（ステップＳ２０３）、有効期限内の場合は（ステップＳ２０３；Ｎ）、設定テーブルの切り替えを行なわずに処理を終了する（エンド）。
【００６５】
一方、有効期限を経過している場合は（ステップＳ２０３；Ｙ）、所定の切替順序に従って次の設定テーブルを選択し（ステップＳ２０４）、この選択した設定テーブルに登録されている入力系制御情報５１に基づいて入力系選択部２３を設定して、その内部経路の接続状態を切り替える（ステップＳ２０５）。そして、予め定めた切り替えのインターバル期間（たとえば、１０日や１ヶ月）を現在日時に加算して次回の有効期限を求め、この有効期限と先ほど選択した設定テーブル番号とを記憶部１５に記憶して（ステップＳ２０６）処理を終了する（エンド）。
【００６６】
なお、ここでは、所定の切替順序は、設定テーブル番号が「Ｔｂ１」→「Ｔｂ２」→「Ｔｂ３」→「Ｔｂ４」→「Ｔｂ１」の順で循環的に遷移するように定めてある。なお、一巡する順序はこれに限定されない。
【００６７】
同じ使用環境下では、一定期間の使用で磁気ディスク装置２８ａ〜２８ｄ相互間に生じる使用頻度の偏りの程度はほぼ一定である。したがって、一律のインターバル期間の経過毎に、所定の切替順序に従って設定テーブル５０ａ〜５０ｄを循環的に切り替えることで、長期的に見れば、使用頻度（使用負荷）が平準化される。また、インターバル期間の経過毎に設定テーブル５０ａ〜５０ｄを切り替える処理は、切替時期の管理が比較的容易であるという利点がある。
【００６８】
図７は、累積印刷枚数を切り替えの判断基準にした第２切替制御処理を示している。この処理は、待機中など画像処理装置１０がジョブを実行していないときに定期的に行なわれる。なお、印刷動作を伴うジョブの終了後に実行してもよい。出力処理の実行回数を表わす累積印刷枚数を切り替えの判断基準にする場合には、次に設定テーブルを切り替えるべき累積印刷枚数を表わした切替基準枚数を記憶部１５に記憶するようになっている。
【００６９】
切替制御手段４１は、印刷枚数を累積計数しているカウンタ部３３から現在の累積印刷枚数を取得すると共に（ステップＳ２１１）、記憶部１５から設定テーブル番号と切替基準枚数とを取得する（ステップＳ２１２）。この切替基準枚数を現在の累積印刷枚数が超えているか否かを判断し（ステップＳ２１３）、切替基準枚数を超えていない場合は（ステップＳ２１３；Ｎ）、設定テーブルの切り替えを行なわずに処理を終了する（エンド）。
【００７０】
一方、切替基準枚数を超えている場合は（ステップＳ２１３；Ｙ）、第１切替制御処理と同様の切替順序に従って次の設定テーブルを選択し（ステップＳ２１４）、この選択した設定テーブルに登録されている入力系制御情報５１に基づいて入力系選択部２３を設定して、その内部経路の接続状態を切り替える（ステップＳ２１５）。そして、予め定めた切替間隔枚数（たとえば、１０００枚、１００００枚）を現在の累積印刷枚数に加算して次の切替基準枚数を求め、この新たな切替基準枚数と先ほど選択した設定テーブル番号とを記憶部１５に記憶して（ステップＳ２１６）、処理を終了する（エンド）。
【００７１】
同じ使用環境下では、一定の枚数を印刷する間に磁気ディスク装置２８ａ〜２８ｄ相互間に生じる使用頻度の偏りの程度はほぼ一定なので、累積印刷枚数が一定枚数増加する毎に設定テーブル５０ａ〜５０ｄを循環的に切り替えることで、長期的に見れば使用頻度（使用負荷）が平準化される。なお、印刷枚数を基準にすれば、一定期間内の印刷量に大きなばらつきが生じる使用環境においても、適切に切替時期を判断することができる。なお、累積印刷枚数に代えて、累積の原稿読取枚数を入力処理の実行回数として計数し、これを切り替えの判断基準にしてもよい。
【００７２】
図８は、磁気ディスク装置２８ａ〜２８ｄ相互間に生じた使用頻度（使用負荷）の差を切り替えの判断基準にした第３切替制御処理を示している。この処理は、待機中など画像処理装置１０がジョブを実行していないときに定期的に実行される。磁気ディスク装置２８ａ〜２８ｄの使用頻度は、画像記憶装置１０の使用状況を表わしている。
【００７３】
設定テーブル５０ａ〜５０ｄを使用すると入力系選択部２３の内部経路を４つセットで一度に切り替えることになる。一方、使用頻度の差を切り替えの判断基準にする場合には、２つの内部経路だけを切り替え得るなど、より大きな切り替えの自由度が望まれる。そこで、経路情報の管理に設定テーブル５０ａ〜５０ｄを使用せず、４つの内部経路の接続状態を個々に表わした情報を経路情報（記憶先情報）として記憶部１５に登録して管理するようになっている。
【００７４】
ここでは、磁気ディスク装置２８ａ〜２８ｄの使用頻度を、磁気ディスク装置２８ａ〜２８ｄ自体が有する自己診断機能を利用して取得している。たとえば、ＡＴＡ（AT Attachment）規格で定義されているＳＭＡＲＴ（Self-Monitoring, Analysis and Reporting Technology System）機能を利用すれば、使用頻度を把握することができる。
【００７５】
上記のような方法を利用して切替制御手段４１は各磁気ディスク装置２８ａ〜２８ｄの使用頻度を取得し（ステップＳ２２１）、磁気ディスク装置２８ａ〜２８ｄ相互間の使用頻度に予め定めた基準値以上の差が生じているか否かを判断する（ステップＳ２２２）。基準値以上の差が生じていない場合は（ステップＳ２２２；Ｎ）、入力系選択部２３の設定を変えずに処理を終了する（エンド）。
【００７６】
磁気ディスク装置２８ａ〜２８ｄ相互間の使用頻度に基準値以上の差が生じている場合は（ステップＳ２２２；Ｙ）、現時点における入力系選択部２３の内部経路の接続状態を示す情報を記憶部１５から読み出し（ステップＳ２２３）、使用頻度が最大の磁気ディスク装置２８に接続されている入力系路と使用頻度が最小の磁気ディスク装置２８に接続している入力経路とを交換するように入力系選択部２３の内部経路の接続状態を切り替える（ステップＳ２２４）。そして、切り替え後の接続状態を示す情報を記憶部１５に記憶して（ステップＳ２２５）、処理を終了する（エンド）。
【００７７】
白黒モードや一部の色だけを使用する色限定モードを使用すると特定の色だけの使用頻度が高まるので、次第に各磁気ディスク装置２８ａ〜２８ｄ相互間に使用頻度（使用負荷）のばらつきが生じる。また、同じ使用環境下では色のばらつき傾向は一定している。そこで、使用頻度の高い色に接続されていた磁気ディスク装置２８と使用頻度の低い色に接続されていた磁気ディスク装置２８とを交換すれば、使用頻度（使用負荷）の偏りが是正される。
【００７８】
すなわち、使用頻度が最大の磁気ディスク装置２８に接続された入力系路と使用頻度が最小の磁気ディスク装置２８に接続された入力経路とを交換するように入力系選択部２３の内部経路の接続状態を切り替えることで、現時点で最も使用頻度の高い磁気ディスク装置２８の使用頻度がこれ以上増加することを抑制し、現時点で最も使用頻度の低い磁気ディスク装置２８の使用を促進するようになる。これにより、磁気ディスク装置２８ａ〜２８ｄ相互間の使用頻度の偏りが是正される。
【００７９】
図９は、白黒モードや色限定モードでの入力動作の起動を切り替えの判断基準にした第４切替制御処理を示している。この処理は、画像処理装置１０が画像データの入力動作を含むジョブを受け付けたときに実行される。また、第３切替制御処理と同様に、経路情報の管理に設定テーブル５０ａ〜５０ｄを使用せず、４つの内部経路の接続状態を個々に記憶部１５に登録して管理するようになっている。
【００８０】
切替制御手段４１は、今回受け付けたジョブが、白黒モードまたは色限定モードでの画像データの入力動作を伴うジョブか否かを判定し（ステップＳ２３１）、白黒モードでも色限定モードでもない場合（フルカラーモードの場合）は（ステップＳ２３１；Ｎ）、入力系選択部２３の設定を変えず処理を終了する（エンド）。
【００８１】
白黒モードまたは色限定モードの場合は（ステップＳ２３１；Ｙ）、各磁気ディスク装置２８ａ〜２８ｄの使用頻度を取得すると共に（ステップＳ２３２）、現時点における入力系選択部２３の内部経路の接続状態を示す情報を記憶部１５から取得する（ステップＳ２３３）。
【００８２】
取得した入力系選択部２３の接続状態を示す情報から、今回のジョブで使用される特定の色（以後、限定色と呼ぶ。）の格納先に設定されている磁気ディスク装置２８を把握する（ステップＳ２３４）。限定色の格納先に設定されている磁気ディスク装置２８の使用頻度が最小の場合は（ステップＳ２３４；Ｎ）、入力系選択部２３の設定を変えずに処理を終了する（エンド）。
【００８３】
一方、限定色の格納先に設定されている磁気ディスク装置２８の使用頻度が最小でない場合は（ステップＳ２３４；Ｙ）、使用頻度が最少の磁気ディスク装置２８が今回使用される限定色の格納先となるように入力系選択部２３の内部経路の接続状態を切り替える（ステップＳ２３５）。そして、切り替え後の接続状態を示す情報を記憶部１５に記憶して（ステップＳ２３６）、処理を終了する（エンド）。
【００８４】
白黒モードや色限定モードでは、その限定色の格納先になる磁気ディスク装置２８だけが使用されるので、磁気ディスク装置２８ａ〜２８ｄ相互間の使用頻度の偏りが必ず変動する。そこで、白黒モードや色限定モードで使用される際に、使用頻度の偏りが減少するように入力系選択部２３を設定すれば、白黒モードや色限定モードを利用して使用頻度（使用負荷）の偏りを是正することができる。
【００８５】
白黒モードや色限定モードにするか否かはユーザの操作に依存するので、上記の切り替え基準はユーザの指示に基づいて切り替えたことになる。なお、読み取る原稿が白黒かカラーかを自動判別するものでもかまわない。
【００８６】
また、上記の処理では、限定色の格納先が使用頻度最小の磁気ディスク装置２８でない場合に、入力系選択部２３の設定を変更して限定色の格納先を切り替えるようにしたが、たとえば、限定色の格納先が使用頻度最大の磁気ディスク装置２８になる場合のみ、入力系選択部２３の設定を変更するように構成してもよい。また、上記の処理では、限定色が１色の場合を説明したが、限定色が複数の色に及ぶ場合であっても、それらの色の画像データを格納する磁気ディスク装置２８ａ〜２８ｄを使用頻度の低いものから優先して選択すればよい。
【００８７】
これまで説明したいずれの判断基準で入力系選択部２３の設定を切り替えた場合においても、磁気ディスク装置２８ａ〜２８ｄ相互間の使用頻度の偏りが平準化する。その結果、磁気ディスク装置２８ａ〜２８ｄでの故障の起こり易さもほぼ均等になる。言い替えれば、いずれかの磁気ディスク装置２８ａ〜２８ｄが故障に至るまでの時間を最大化し、画像処理装置１０全体として平均故障間隔（ＭＴＢＦ）を延長することができる。
【００８８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８９】
実施の形態では、カラー画像を扱う画像処理装置１０について説明していたが、カラー画像を扱わない画像処理装置であっても複数のデータ記憶部２４を設けていれば、本実施の形態に示す構成および処理を適用してもよい。これによって、複数のデータ記憶部２４相互間に生じる使用頻度の偏りを平準化することができる。
【００９０】
また、実施の形態では、データ記憶部２４を入力系路と同じ数だけ設けたが、入力系路より多い数のデータ記憶部２４を設ける構成にしてもよい。この場合は、データ記憶部２４の数に合わせて入力系選択部２３の出力ポート数と出力系選択部２５の入力ポート数とを増やせばよい。たとえば、色数（入力系路の数）よりも多い数のデータ記憶部２４を設け、これらの使用頻度が平準化されるように入力系選択部の設定を切り替えれば、色数と同数のデータ記憶部２４を有する場合に比べて１つの磁気ディスク装置２８あたりの使用頻度が少なくなり、磁気ディスク装置２８が故障に至るまでの時間を延長することができる。また、入力系路の数と同数のデータ記憶部２４を画像データの格納に用い、余剰のデータ記憶部２４を故障時の予備用データ記憶部として構成すれば、画像データを格納するデータ記憶部２４が故障したときに、入力系選択部２３の設定を変えるだけで予備用データ記憶部を現用に切り替えることができる。
【００９１】
実施の形態では、経過時間や累積印刷枚数など１つの判断基準によって入力系選択部２３の設定を切り替えるようにしたが、複数の判断基準を組み合わせて切り替えを制御してもよい。たとえば、有効期限の経過と累積印刷枚数の超過のいずれかに該当したら設定テーブル５０ａ〜５０ｄを切り替えてもよいし、有効期限の経過毎に磁気ディスク装置２８の使用頻度に基づいて入力系選択部２３の内部接続を切り替えてもよい。また、白黒モードや色限定モードでの画像データの入力があった場合はそのジョブについてだけ一時的に入力系選択部２３の設定を切り替えては元に戻し、常時は有効期限の経過などを基準に入力系選択部２３の設定を変更してもよい。このように、磁気ディスク装置２８ａ〜２８ｄ相互間に生じる使用頻度の偏りが拡大する時期を多様な判断基準を利用して判定することで、より一層適切なタイミングで切り替えて、使用頻度の偏りを平準化することができる。
【００９２】
また、第１、第２、第３切替制御処理を画像処理装置１０の待機中に実行するように構成したが、磁気ディスク装置２８ａ〜２８ｄに画像データの入出力があったときに実行するように構成してもよい。
【００９３】
また、実施の形態では、出力系選択部２３と出力系選択部２５とは入力系制御信号Ｓ１と出力系制御信号Ｓ２によって別々に制御されていたが、所定の設定テーブル５０ａ〜５０ｄに従って入力系制御信号Ｓ１と出力系制御信号Ｓ２とを同時に送出するようにしてもよい。これにより、コピージョブなどのデータ記憶部２４に画像データを記憶せずに処理を行なう場合には、画像データが入力された時点で出力画像処理部２６まで色毎の経路が確立され、出力系選択部２５の設定テーブル５０を選択する判断を省略でき、処理を簡略化する。
【００９４】
実施の形態では、磁気ディスク装置２８ａ〜２８ｄの自己診断機能から使用頻度値を取得したが、使用頻度の計測は他の方法でもよい。たとえば、システム制御部１１が磁気ディスク装置２８ａ〜２８ｄのデータの読み書きに要した時間や回数などの情報を使用頻度として計測し、その計測値を利用してもよい。また、画像処理装置１０のシステム制御部１１で各磁気ディスク装置２８ａ〜２８ｄに対するアクセス回数や稼動時間を累計するように構成してもよい。
【００９５】
また、実施の形態では、内蔵されているクロック部３２から現在日時を取得したが、たとえば、ネットワークＩ／Ｆ３１を介してネットワーク上のＮＴＰサーバと交信して現在の時刻を取得するように構成してもよい。ＮＴＰサーバは、正確な時刻を示す基準となる時刻情報を提供するサーバである。
【００９６】
なお、使用頻度の差に基づいて入力系選択部２３の内部経路の接続状態を変更する場合において、その変更方法は使用頻度が最大の磁気ディスク装置と最小の磁気ディスク装置とを入れ替えるものに限定されない。少なくとも、使用頻度が最大の磁気ディスク装置と他のいずれかの磁気ディスク装置とが交換されればよい。また、設定テーブル５０ａ〜５０ｄを利用して４つの内部経路をセットとして１度に接続状態を切り替える方法でもかまわない。たとえば、使用頻度の差が一定以上になる毎に、設定テーブル５０ａ〜５０ｄを循環的に切り替えた場合にも、長期的にみれば、各磁気ディスク装置２８ａ〜２８ｄ相互間の使用頻度は平準化される。
【００９７】
なお、画像データの入力は、読取部２１からの入力に限定されず、コード情報などで入力された印刷データを、ラスタ展開して得た画像データを、入力系選択部２３を通じてデータ記憶部２４に格納する構成でもよい。
【００９８】
なお、実施の形態では、ジョブテーブル６０のページデータ６２に設定テーブル番号を登録するようにしたが、これは例示であり、該当する画像データをデータ記憶部２４に格納した時点での入力系選択部２３の設定状態を表わす経路情報であればよい。具体的には、記憶部１５に記憶されている内容を登録すればよい。また、出力時には、経路情報に従って出力系選択部２５の内部経路の接続状態を切り替えればよい。
【図面の簡単な説明】
【００９９】
【図１】本発明の実施の形態に係わる画像処理装置の電気的構成を示すブロック図である。
【図２】本発明の実施の形態に係わるデータ記憶部を中心とする処理経路の概略構成を示す説明図である。
【図３】設定テーブルを例示した説明図である。
【図４】ジョブテーブルのテーブル構造を示す説明図である。
【図５】画像処理装置がジョブを実行する際の動作を示す流れ図である。
【図６】時刻に基づいて設定テーブルを切り替える第１切替制御処理を示す流れ図である。
【図７】印刷枚数に基づいて設定テーブルを切り替える第２切替制御処理を示す流れ図である。
【図８】磁気ディスク装置から取得する使用頻度値に基づいて入力系選択部を制御する第３切替制御処理を示す流れ図である。
【図９】色限定の指示に基づいて入力系選択部を制御する第４切替制御処理を示す流れ図である。
【図１０】データ記憶部に格納された画像データを出力する画像データ出力処理を示す流れ図である。
【符号の説明】
【０１００】
１０…画像処理装置
１１…システム制御部
１２…ＣＰＵ
１３…ＲＯＭ
１４…ＲＡＭ
１５…記憶部
２１…読取部
２２…入力画像処理部
２３…入力系選択部
２４…データ記憶部
２４ａ…第１データ記憶部
２４ｂ…第２データ記憶部
２４ｃ…第３データ記憶部
２４ｄ…第４データ記憶部
２５…出力系選択部
２６…出力画像処理部
２７…画像形成部
２８（２８ａ、２８ｂ、２８ｃ、２８ｄ）…磁気ディスク装置
２９（２９ａ、２９ｂ、２９ｃ、２９ｄ）…ＲＡＭ
３１…ネットワークＩ／Ｆ
３２…クロック部
３３…カウンタ部
３４…操作表示部
４１…切替制御手段
４２…画像データ管理手段
５０（５０ａ、５０ｂ、５０ｃ、５０ｄ）…設定テーブル
５１…入力系制御情報
５２…出力系制御情報
６０…ジョブテーブル
６１…ジョブデータ部
６２…ページデータ部
Ｃin…Ｃ色画像データの入力経路
Ｍin…Ｍ色画像データの入力系路
Ｙin…Ｙ色画像データの入力系路
Ｋin…Ｋ色画像データの入力経路
Ｃout…Ｃ色画像データの出力経路
Ｍout…Ｍ色画像データの出力経路
Ｙout…Ｙ色画像データの出力経路
Ｋout…Ｋ色画像データの出力経路
ＰiＣ、ＰiＭ、ＰiＹ、ＰiＫ…入力系選択部の入力ポート
Ｐi１、Ｐi２、Ｐi３、Ｐi４…入力系選択部の出力ポート
Ｐo１、Ｐo２、Ｐo３、Ｐo４…出力系選択部の入力ポート
ＰoＣ、ＰoＭ、ＰoＹ、ＰoＫ…出力系選択部の出力ポート
Ｓ１…入力系制御信号
Ｓ２…出力系制御信号
【図１】
2006279468.tif 000003
【図２】
2006279468.tif 000004
【図３】
2006279468.tif 000005
【図４】
2006279468.tif 000006
【図５】
2006279468.tif 000007
【図６】
2006279468.tif 000008
【図７】
2006279468.tif 000009
【図８】
2006279468.tif 000010
【図９】
2006279468.tif 000011
【図１０】
2006279468.tif 000012